(57)【要約】【課題】登録を受け付けたコンテンツを提供するシステムにおける、サービスの向上を図ること。【解決手段】ユーザ３００Ａは、携帯端末１００Ａを用いて、サーバ１５０に、コンテンツおよび当該コンテンツの感想についての送信先情報をＱＲコード３２１に関連付けて登録する（項目（１））。その後、ユーザ３００Ａは、商品３１０とともにメッセージカード３２０をユーザ３００Ｂに渡す。ユーザ３００Ｂは、ＱＲコード３２１に関連付けられたＵＲＬにアクセスする（項目（２））。サーバ１５０は、携帯端末１００Ｂに、ＱＲコード３２１に関連付けられて登録されているコンテンツを送信する（項目（３））。携帯端末１００Ｂは、ユーザから入力された感想をサーバ１５０へ送信する（項目（４））。サーバ１５０は、当該感想を、コンテンツに関連付けられた送信先へ送信する（項目（５））。【選択図】図１
2019003438.tif 000002
【特許請求の範囲】
【請求項１】
コンテンツを提供するサーバであって、
メモリと、
端末と通信するように構成された通信インターフェースと、
前記メモリおよび前記通信インターフェースと接続可能なプロセッサとを備え、
前記プロセッサは、
識別情報に関連付けられた、コンテンツと応答情報の送信先との登録を受け付け、
前記コンテンツと前記送信先とを前記識別情報に関連付けて前記メモリに格納し、
前記識別情報に関連付けられた要求に応じて、当該要求を送信した端末に前記コンテンツを提供し、当該要求を送信した端末から応答情報を受け付け、
前記応答情報を前記送信先に送信する、
ように構成されている、コンテンツ提供サーバ。
【請求項２】
前記プロセッサは、
前記コンテンツの１回目の提供に対して受け付けた応答情報のみを、前記送信先に送信するように構成されている、請求項１に記載のコンテンツ提供サーバ。
【請求項３】
前記メモリは、前記識別情報に関連付けて、コードを格納するように構成されており、
前記プロセッサは、前記コードに関連付けられた前記コンテンツの削除の要求に応じて、前記メモリから前記コンテンツを削除するように構成されている、請求項１または請求項２に記載のコンテンツ提供サーバ。
【請求項４】
前記通信インターフェースは、２以上の端末のそれぞれと通信可能に構成されており、
前記プロセッサは、
前記コンテンツと前記送信先との登録を第１の端末から受け付け、
前記第１の端末とは異なる第２の端末に、前記コンテンツを提供し、当該第２の端末から前記応答情報を受け付けるように構成されている、請求項１〜請求項３のいずれか１項に記載のコンテンツ提供サーバ。
【請求項５】
コンテンツを提供するサーバのコンピュータによって実行されるプログラムであって、
前記プログラムは、前記コンピュータに、
識別情報に関連付けられた、コンテンツと応答情報の送信先との登録を受け付けるステップと、
前記コンテンツと前記送信先とを前記識別情報に関連付けてメモリに格納するステップと、
前記識別情報に関連付けられた要求に応じて、当該要求を送信した端末に前記コンテンツを提供し、当該要求を送信した端末から応答情報を受け付けるステップと、
前記応答情報を前記送信先に送信するステップと、
を実行させる、コンテンツ提供用プログラム。
【請求項６】
前記応答情報を前記送信先に送信するステップは、前記コンテンツの１回目の提供に対して受け付けた応答情報のみを、前記送信先に送信することを含む、請求項５に記載のコンテンツ提供用プログラム。
【請求項７】
前記識別情報はコードに関連付けられており、
前記プログラムは、前記コンピュータに、さらに、
前記コードに関連付けられた前記コンテンツの削除の要求に応じて、前記メモリから前記コンテンツを削除するステップ
をさらに実行させる、請求項５または請求項６に記載のコンテンツ提供用プログラム。
【請求項８】
端末と、サーバとを備えたコンテンツ提供システムであって、
前記サーバは、
メモリと、
前記端末と通信するように構成された通信インターフェースと、
前記メモリおよび前記通信インターフェースと接続可能なプロセッサとを含み、
前記プロセッサは、
前記端末から、識別情報に関連付けられた、コンテンツと応答情報の送信先との登録を受け付け、
前記コンテンツと前記送信先とを前記識別情報に関連付けて前記メモリに格納し、
前記端末からの前記識別情報に関連付けられた要求に応じて、当該要求を送信した端末に前記コンテンツを提供し、当該要求を送信した端末から応答情報を受け付け、
前記応答情報を前記送信先に送信する、
ように構成されている、コンテンツ提供システム。
【請求項９】
前記プロセッサは、
前記コンテンツの１回目の提供に対して受け付けた応答情報のみを、前記送信先に送信するように構成されている、請求項８に記載のコンテンツ提供システム。
【請求項１０】
前記メモリは、前記識別情報に関連付けて、コードを格納するように構成されており、
前記プロセッサは、前記端末からの前記コードに関連付けられた前記コンテンツの削除の要求に応じて、前記メモリから前記コンテンツの削除するように構成されている、請求項８または請求項９に記載のコンテンツ提供システム。
【請求項１１】
前記端末は、第１の端末と第２の端末とを含み、
前記プロセッサは、前記第１の端末から前記登録を受け付け、前記第２の端末から前記要求を受け付けるように構成されている、請求項８〜請求項１０のいずれか１項に記載のコンテンツ提供システム。
【請求項１２】
前記識別情報は、前記第１の端末のユーザから前記第２の端末のユーザへと譲渡される記録媒体に記載されている、請求項１１に記載のコンテンツ提供システム。
【請求項１３】
請求項８〜請求項１２のいずれか１項に記載のコンテンツ提供システムにおいて利用される、識別情報が記載された記録媒体。
【発明の詳細な説明】
【技術分野】
【０００１】
本開示は、コンテンツの登録を受け付けかつ当該コンテンツを提供するシステムに関する。
【背景技術】
【０００２】
従来、商品に添付する等して提供された情報に関連付けてコンテンツの登録を受け付け、当該情報に関連付けられた要求に応じて登録されたコンテンツを提供するシステムが提案されている。たとえば、特開２０１５−１１４９９号公報（特許文献１）は、このようなシステムに利用される商品として、「商品を包装しているパッケージに、この商品の活用方法を動画で解説する動画ファイルを特定するＵＲＩを表わす二次元コードと、前記二次元コードを端末で読み取って前記動画ファイルを再生するよう促す情報とを記載したマークを設けたことを特徴とする商品」を開示している。
【先行技術文献】
【特許文献】
【０００３】
【特許文献１】特開２０１５−１１４９９号公報
【発明の概要】
【発明が解決しようとする課題】
【０００４】
上記のようなシステムは、コンテンツの登録者に対して、コンテンツの登録後には特にサービスを提供していなかった。また、コンテンツを閲覧する者に対しても付加的なサービスが提供されることが望まれる。すなわち、従来のシステムでは、コンテンツを登録した者および／または提供を受ける者に対するサービスの向上が求められている。
【０００５】
本開示は、上述のような問題点を解決するためになされたものであって、その目的は、登録を受け付けたコンテンツを提供するシステムにおいて、コンテンツを登録した者に対するサービスの向上を図ることである。
【課題を解決するための手段】
【０００６】
本開示のある局面に従うと、コンテンツを提供するサーバが提供される。サーバは、メモリと、端末と通信するように構成された通信インターフェースと、メモリおよび通信インターフェースと接続可能なプロセッサとを備える。プロセッサは、識別情報に関連付けられた、コンテンツと応答情報の送信先との登録を受け付け、コンテンツと送信先とを識別情報に関連付けてメモリに格納し、識別情報に関連付けられた要求に応じて、当該要求を送信した端末にコンテンツを提供し、当該要求を送信した端末から応答情報を受け付け、応答情報を送信先に送信する、ように構成されている。
【０００７】
プロセッサは、コンテンツの１回目の提供に対して受け付けた応答情報のみを、送信先に送信するように構成されていてもよい。
【０００８】
メモリは、識別情報に関連付けて、コードを格納するように構成されていてもよい。プロセッサは、コードに関連付けられたコンテンツの削除の要求に応じて、メモリからコンテンツを削除するように構成されていてもよい。
【０００９】
通信インターフェースは、２以上の端末のそれぞれと通信可能に構成されていてもよい。プロセッサは、コンテンツと送信先との登録を第１の端末から受け付け、第１の端末とは異なる第２の端末に、コンテンツを提供し、当該第２の端末から応答情報を受け付けるように構成されていてもよい。
【００１０】
本開示の他の局面に従うと、コンテンツを提供するサーバのコンピュータによって実行されるプログラムが提供される。プログラムは、コンピュータに、識別情報に関連付けられた、コンテンツと応答情報の送信先との登録を受け付けるステップと、コンテンツと送信先とを識別情報に関連付けてメモリに格納するステップと、識別情報に関連付けられた要求に応じて、当該要求を送信した端末にコンテンツを提供し、当該要求を送信した端末から応答情報を受け付けるステップと、応答情報を送信先に送信するステップと、を実行させる。
【００１１】
応答情報を送信先に送信するステップは、コンテンツの１回目の提供に対して受け付けた応答情報のみを、送信先に送信することを含んでいてもよい。
【００１２】
識別情報はコードに関連付けられていてもよい。プログラムは、コンピュータに、さらに、コードに関連付けられたコンテンツの削除の要求に応じて、メモリからコンテンツを削除するステップをさらに実行させてもよい。
【００１３】
本開示のさらに他の局面に従うと、端末と、サーバとを備えたコンテンツ提供システムが提供される。サーバは、メモリと、端末と通信するように構成された通信インターフェースと、メモリおよび通信インターフェースと接続可能なプロセッサとを含む。プロセッサは、端末から、識別情報に関連付けられた、コンテンツと応答情報の送信先との登録を受け付け、コンテンツと送信先とを識別情報に関連付けてメモリに格納し、端末からの識別情報に関連付けられた要求に応じて、当該要求を送信した端末にコンテンツを提供し、当該要求を送信した端末から応答情報を受け付け、応答情報を送信先に送信する、ように構成されている。
【００１４】
プロセッサは、コンテンツの１回目の提供に対して受け付けた応答情報のみを、送信先に送信するように構成されていてもよい。
【００１５】
メモリは、識別情報に関連付けて、コードを格納するように構成されていてもよい。プロセッサは、端末からのコードに関連付けられたコンテンツの削除の要求に応じて、メモリからコンテンツの削除するように構成されていてもよい。
【００１６】
端末は、第１の端末と第２の端末とを含んでいてもよい。プロセッサは、第１の端末から登録を受け付け、第２の端末から要求を受け付けるように構成されていてもよい。
【００１７】
識別情報は、第１の端末のユーザから第２の端末のユーザへと譲渡される記録媒体に記載されていてもよい。
【００１８】
本開示のさらに他の局面に従うと、上述のコンテンツ提供システムにおいて利用され、識別情報が記載された記録媒体が提供される。
【発明の効果】
【００１９】
本開示によれば、サーバは、コンテンツとともに登録された送信先に、当該コンテンツを提供された端末から登録された応答情報を送信する。これにより、コンテンツを登録した者および提供を受けた者の双方に対するサービスが向上され得る。
【図面の簡単な説明】
【００２０】
【図１】本開示に係るコンテンツ提供システムの構成を概略的に示す図である。
【図２】携帯端末１００のハードウェア構成を表わすブロック図である。
【図３】サーバ１５０のハードウェア構成を表わすブロック図である。
【図４】コンテンツデータベースのデータ構造の一例を示す図である。
【図５】コンテンツデータベースのデータ構造の一例を示す図である。
【図６】携帯端末１００およびサーバ１５０が実行する処理のフローチャートである。
【図７】携帯端末１００およびサーバ１５０が実行する処理のフローチャートである。
【図８】携帯端末１００において表示される画面の具体例を示す図である。
【図９】携帯端末１００において表示される画面の具体例を示す図である。
【図１０】携帯端末１００において表示される画面の具体例を示す図である。
【図１１】携帯端末１００において表示される画面の具体例を示す図である。
【図１２】携帯端末１００において表示される画面の具体例を示す図である。
【図１３】携帯端末１００において表示される画面の具体例を示す図である。
【図１４】携帯端末１００において表示される画面の具体例を示す図である。
【図１５】携帯端末１００において表示される画面の具体例を示す図である。
【図１６】携帯端末１００において表示される画面の具体例を示す図である。
【図１７】携帯端末１００において表示される画面の具体例を示す図である。
【図１８】携帯端末１００において表示される画面の具体例を示す図である。
【図１９】携帯端末１００において表示される画面の具体例を示す図である。
【図２０】携帯端末１００において表示される画面の具体例を示す図である。
【発明を実施するための形態】
【００２１】
以下、図面を参照しつつ、コンテンツ提供システムの実施の形態について説明する。以下の説明では、同一の部品には同一の符号を付してある。それらの名称および機能も同じである。したがって、それらについての詳細な説明は繰り返さない。
【００２２】
［１．コンテンツ提供システムの構成］
図１は、本開示に係るコンテンツ提供システムの構成を概略的に示す図である。コンテンツ提供システム１０（以下、単に「システム１０」という）は、携帯端末１００Ａ，１００Ｂおよびサーバ１５０とを含む。サーバ１５０は、コンテンツの登録を受け付け、また、当該コンテンツを提供する。図１を参照して、システム１０における処理の概略的な流れを説明する。
【００２３】
携帯端末１００Ａは、ユーザ３００Ａによって操作される。ユーザ３００Ａは、商品３１０を購入する。商品３１０には、メッセージカード３２０が添付されている。メッセージカード３２０上には、ＱＲ（Quick  Response：登録商標）コード３２１が印刷されている。ＱＲコード３２１は、ＵＲＬに関連付けられている。ＱＲコード３２１は、ＵＲＬそのものであってもよいし、ＵＲＬとともに当該ＵＲＬにアクセスする命令を含んでいてもよい。
【００２４】
ユーザ３００Ａは、携帯端末１００ＡでＱＲコード３２１を読み取る。これに応じて、携帯端末１００Ａは、ＱＲコード３２１に関連付けられたＵＲＬにアクセスする。
【００２５】
サーバ１５０は、当該ＱＲコード３２１に対応するＵＲＬに関連付けられてコンテンツが格納されていなければ、当該ＵＲＬへのアクセスに応じてコンテンツの登録を受け付ける。ユーザ３００Ａは、携帯端末１００Ａを用いて、サーバ１５０に、コンテンツおよび当該コンテンツの感想についての送信先情報（たとえば、メールアドレス）の登録を要求する（図１中の項目（１））。これに応じて、サーバ１５０は、当該コンテンツおよび送信先情報を上記ＵＲＬに関連付けて登録する。
【００２６】
その後、ユーザ３００Ａは、商品３１０とともにメッセージカード３２０をユーザ３００Ｂに渡す。ユーザ３００Ｂは、携帯端末１００ＢでＱＲコード３２１を読み取る。これに応じて、携帯端末１００Ｂは、ＱＲコード３２１に関連付けられたＵＲＬにアクセスする（図１中の項目（２））。
【００２７】
既に上記ＵＲＬに関連付けられてコンテンツが関連付けられて登録されているので、サーバ１５０は、携帯端末１００Ｂからのアクセスに応じて、携帯端末１００Ｂにコンテンツが登録されていることを通知する。当該通知に応じて、携帯端末１００Ｂは、コンテンツを要求する。これに応じて、サーバ１５０は、携帯端末１００Ｂに、登録されているコンテンツを送信する（図１中の項目（３））。携帯端末１００Ｂは、送信されたコンテンツを再生する。
【００２８】
コンテンツの再生後、携帯端末１００Ｂは、ユーザ３００Ｂから、メッセージの入力を受け付ける。入力されるメッセージは、たとえば、コンテンツの感想であり、テキストメッセージとして入力される。
【００２９】
携帯端末１００Ｂは、ユーザから入力された感想をサーバ１５０へ送信する（図１中の項目（４））。これに応じて、サーバ１５０は、当該感想を、携帯端末１００Ｂに送信されたコンテンツに関連付けられた送信先へ送信する（図１中の項目（５））。
【００３０】
以上説明されたように、図１のシステム１０では、携帯端末１００Ａのユーザ３００Ａは、コンテンツとともに送信先を登録すると、当該送信先において当該コンテンツの感想を受取ることができる。
【００３１】
なお、システム１０において利用される商品３１０のメッセージカード３２０は、さらに管理コード３２２を含む。システム１０において、当該管理コード３２２がコンテンツの管理に利用されてもよい。
【００３２】
［２．携帯端末１００のハードウェア構成］
本明細書では、携帯端末１００Ａと携帯端末１００Ｂにおいて共通する構成について言及する場合、「携帯端末１００」という用語を利用する。図２を参照して、携帯端末１００の構成について説明する。図２は、ある局面に従う携帯端末１００のハードウェア構成を表わすブロック図である。
【００３３】
携帯端末１００は、ＣＰＵ（Central  Processing  Unit）２０と、アンテナ２３と、通信装置２４と、入力スイッチ２５と、カメラ２６と、フラッシュメモリ２７と、ＲＡＭ（Random  Access  Memory）２８と、ＲＯＭ（Read-Only  Memory）２９と、メモリカード駆動装置３０と、マイク３２と、スピーカ３３と、音声信号処理回路３４と、モニタ３５と、ＬＥＤ（Light  Emitting  Diode）３６と、通信インターフェイス３７と、バイブレータ３８と、ＧＰＳ（Global  Positioning  System）アンテナ３９と、ＧＰＳモジュール４０と、加速度センサ４１と、地磁気センサ４２とを備える。メモリカード駆動装置３０には、メモリカード３１が装着され得る。
【００３４】
アンテナ２３は、基地局によって発信される信号を受信し、または、基地局を介して他の通信装置と通信するための信号を送信する。アンテナ２３によって受信された信号は、通信装置２４によってフロントエンド処理が行なわれ、処理後の信号は、ＣＰＵ２０に送られる。
【００３５】
ＣＰＵ２０は、携帯端末１００に対して与えられる命令に基づいて携帯端末１００の動作を制御するための処理を実行する。携帯端末１００が信号を受信すると、ＣＰＵ２０は、通信装置２４から送られた信号に基づいて予め規定された処理を実行し、処理後の信号を音声信号処理回路３４に送出する。音声信号処理回路３４は、その信号に対して予め規定された信号処理を実行し、処理後の信号をスピーカ３３に送出する。スピーカ３３は、その信号に基づいて音声を出力する。
【００３６】
入力スイッチ２５は、携帯端末１００に対する命令の入力を受け付ける。入力スイッチ２５は、タッチセンサ、携帯端末１００の筐体に設けられたボタン等により実現される。入力された命令に応じた信号は、ＣＰＵ２０に入力される。
【００３７】
マイク３２は、携帯端末１００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置２４に対して送出する。通信装置２４は、そのデータを用いて送信用の信号を生成し、アンテナ２３に向けてその信号を送出する。
【００３８】
フラッシュメモリ２７は、ＣＰＵ２０から送られるデータを格納する。また、ＣＰＵ２０は、フラッシュメモリ２７に格納されているデータを読み出し、そのデータを用いて予め規定された処理を実行する。
【００３９】
ＲＡＭ２８は、入力スイッチ２５に対して行なわれた操作に基づいてＣＰＵ２０によって生成されるデータを一時的に保持する。ＲＯＭ２９は、携帯端末１００に予め定められた動作を実行させるためのプログラムあるいはデータを格納している。ＣＰＵ２０は、ＲＯＭ２９から当該プログラムまたはデータを読み出し、携帯端末１００の動作を制御する。
【００４０】
メモリカード駆動装置３０は、メモリカード３１に格納されているデータを読み出し、ＣＰＵ２０に送出する。メモリカード駆動装置３０は、ＣＰＵ２０によって出力されるデータを、メモリカード３１の記憶領域に書き込む。
【００４１】
音声信号処理回路３４は、上述のような通話のための信号処理を実行する。なお、図２に示される例では、ＣＰＵ２０と音声信号処理回路３４とが別個の構成として示されているが、他の局面において、ＣＰＵ２０と音声信号処理回路３４とが一体として構成されていてもよい。
【００４２】
モニタ３５は、タッチ操作式のモニタであるが、タッチ操作を受け付ける機構は特に限られない。モニタ３５は、ＣＰＵ２０から取得されるデータに基づいて、当該データによって規定される画像を表示する。たとえば、フラッシュメモリ２７に格納されている静止画、動画、地図などを表示する。
【００４３】
ＬＥＤ３６は、ＣＰＵ２０から出力される信号に基づいて発光する。ある局面において、通信インターフェイス３７は、ＷｉＦｉ（Wireless  Fidelity）、Bluetooth（登録商標）、ＮＦＣ（Near  Field  Communication）等により実現される。別の局面において、通信インターフェイス３７は、データ通信用のケーブルの装着を受け付ける。通信インターフェイス３７は、ＣＰＵ２０から出力される信号を発信する。あるいは、通信インターフェイス３７は、携帯端末１００の外部から受信した信号に含まれるデータを、ＣＰＵ２０に対して送信する。
【００４４】
バイブレータ３８は、ＣＰＵ２０から出力される信号に基づいて、予め定められた周波数で発振動作を実行する。
【００４５】
ＧＰＳアンテナ３９は、４つ以上の衛星からそれぞれ送信されるＧＰＳ信号を受信する。受信された各ＧＰＳ信号は、ＧＰＳモジュール４０に入力される。ＧＰＳモジュール４０は、各ＧＰＳ信号と公知の技術とを用いて測位処理を実行し、携帯端末１００の位置情報を取得する。
【００４６】
加速度センサ４１は、携帯端末１００に作用する加速度を検出する。ある局面において、加速度センサ４１は、３軸加速度センサとして実現される。検出された加速度は、ＣＰＵ２０に入力される。ＣＰＵ２０は、この加速度に基づいて、携帯端末１００の動きや姿勢（傾き）を検出する。
【００４７】
地磁気センサ４２は、携帯端末１００が向いている方角を検出する。この検出により取得された情報は、ＣＰＵ２０に入力される。
【００４８】
［３．サーバ１５０のハードウェア構成］
図３を参照して、サーバ１５０の構成について説明する。図３は、ある局面に従うサーバ１５０のハードウェア構成を表わすブロック図である。サーバ１５０は、例えば、図１に示されたシステム１０を提供する事業者によって管理される。
【００４９】
サーバ１５０は、主たる構成要素として、プログラムを実行するＣＰＵ（Central  Processing  Unit）１と、サーバ１５０のユーザによる指示の入力を受けるマウス２およびキーボード３と、ＣＰＵ１によるプログラムの実行により生成されたデータ、又はマウス２若しくはキーボード３を介して入力されたデータを揮発的に格納するＲＡＭ４と、データを不揮発的に格納するハードディスク５と、光ディスク駆動装置６と、モニタ８と、通信インターフェイス７とを備える。各構成要素は、相互にバスによって接続されている。光ディスク駆動装置６には、ＣＤ−ＲＯＭ９その他の光ディスクが装着される。通信インターフェイス７は、ＵＳＢ（Universal  Serial  Bus）インターフェイス、有線ＬＡＮ（Local  Area  Network）、無線ＬＡＮ、Bluetooth（登録商標）インターフェイス等を含むが、これらに限られない。
【００５０】
サーバ１５０における処理は、各ハードウェアおよびＣＰＵ１により実行されるソフトウェアによって実現される。このようなソフトウェアは、ハードディスク５に予め格納されている場合がある。また、ソフトウェアは、ＣＤ−ＲＯＭ９その他のコンピュータ読み取り可能な不揮発性のデータ記録媒体に格納されて、プログラム製品として流通している場合もある。あるいは、当該ソフトウェアは、インターネット（登録商標）その他のネットワークに接続されている情報提供事業者によってダウンロード可能なプログラム製品として提供される場合もある。このようなソフトウェアは、光ディスク駆動装置６その他のデータ読取装置によってデータ記録媒体から読み取られて、あるいは、通信インターフェイス７を介してダウンロードされた後、ハードディスク５に一旦格納される。そのソフトウェアは、ＣＰＵ１によってハードディスク５から読み出され、ＲＡＭ４に実行可能なプログラムの形式で格納される。ＣＰＵ１は、そのプログラムを実行する。
【００５１】
図３に示されるサーバ１５０を構成する各構成要素は、一般的なものである。したがって、本実施の形態に係る最も本質的な部分は、サーバ１５０に格納されたプログラムであるともいえる。サーバ１５０の各ハードウェアの動作は周知であるので、詳細な説明は繰り返さない。
【００５２】
なお、データ記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する不揮発性のデータ記録媒体でもよい。
【００５３】
ここでいうプログラムとは、ＣＰＵ１により直接実行可能なプログラムだけでなく、ソースプログラム形式のプログラム、圧縮処理されたプログラム、暗号化されたプログラム等を含み得る。
【００５４】
［４．データ構造］
図４および図５は、サーバ１５０のハードディスク５に格納される、コンテンツデータベースのデータ構造の一例を示す図である。より具体的には、図４は、あるコンテンツが登録される前の構造を表わし、図５は、当該コンテンツの登録後の構造を表わす。コンテンツデータベースは、たとえばサーバ１５０のハードディスク５に格納される。
【００５５】
まず、図４を参照して、コンテンツデータベースは、「カードＩＤ」「ＵＲＬ（Uniform  Resource  Locator）」「管理コード」「コンテンツ」および「返信用アドレス」を互いに関連付ける。「カードＩＤ」は、各メッセージカード３２０を特定する。「ＵＲＬ」，「管理コード」のそれぞれは、メッセージカード３２０に印刷されたＱＲコード３２１，管理コード３２２のそれぞれに対応する。「コンテンツ」「返信用アドレス」のそれぞれは、各カードに関連付けられたコンテンツ，送信先情報のそれぞれに対応する。送信先情報の一例は、メールアドレスである。
【００５６】
図４の例では、カードＩＤ［0001］のカードについて、ＵＲＬ［http://www.aaa.aaa.aaa］および管理コード［12345］が関連付けられている。このことは、カードＩＤ［0001］のカードに、ＱＲコード３２１として［http://www.aaa.aaa.aaa］というＵＲＬを特定する情報が印刷され、管理コード３２２として、［12345］という管理コードを特定する情報が印刷されていることを表わす。
【００５７】
図１の項目（１）として示されたように、あるＵＲＬにアクセスしたユーザがコンテンツおよび送信先情報の登録を要求すると、サーバ１５０のＣＰＵ１は、当該コンテンツおよび送信先情報を、当該ＵＲＬに関連付けて、コンテンツデータベースに登録する。たとえば、ＵＲＬ［http://www.aaa.aaa.aaa］にアクセスしたユーザが、コンテンツとしてのタイトル「コンテンツ（１）」の動画と、送信先情報としてのメールアドレス「xxx@xxx.xxx」との登録を要求すると、サーバ１５０のＣＰＵ１は、図５に示されるように、コンテンツデータベースに、当該コンテンツおよび送信先情報をＵＲＬ［http://www.aaa.aaa.aaa］に関連付けて格納する。
【００５８】
［５．処理の流れ］
図６および図７は、システム１０におけるコンテンツの登録および提供について、携帯端末１００およびサーバ１５０が実行する処理のフローチャートである。携帯端末１００側の処理は、たとえば、携帯端末１００のＣＰＵ２０が適切なプログラムを実行することによって実現される。サーバ１５０側の処理は、たとえば、サーバ１５０のＣＰＵ１が適切なプログラムを実行することによって実現される。
【００５９】
ある実施の形態では、ＣＰＵ２０によって実行されるプログラムは、汎用のＷｅｂブラウザ用のプログラムであってもよい。ＣＰＵ１によって実行されるプログラムは、コンテンツの登録および提供のために構築されたプログラム（コンテンツ提供用プログラム）であってもよい。ＣＰＵ２０は、ＣＰＵ１が携帯端末１００に提供する画面情報（たとえば、ＨＴＭＬ（HyperText  Markup  Language）ファイル）をＷｅｂブラウザで処理することにより、図６および図７に示された制御を実現し得る。
【００６０】
図８〜図２０は、携帯端末１００において表示される画面の具体例を示す図である。以下に、図６〜図２０を参照して、システム１０におけるコンテンツの登録および提供における処理内容の具体例を説明する。
【００６１】
まず図６を参照して、携帯端末１００側では、ステップＳ１０にて、ＣＰＵ２０は、携帯端末１００がＵＲＬを取得したか否かを判断する。ある実施の形態では、カメラ２６がＱＲコード３２１を撮影すると、ＣＰＵ２０は、当該ＱＲコード３２１によって特定されるＵＲＬを取得する。携帯端末１００は、入力スイッチ２５にＵＲＬを入力されることによってＵＲＬを取得してもよい。ＣＰＵ２０は、携帯端末１００がＵＲＬを取得するまでステップＳ１０に制御を留め（ステップＳ１０にてＮＯ）、携帯端末１００がＵＲＬを取得したと判断すると（ステップＳ１０にてＹＥＳ）、ステップＳステップＳ１２へ制御を進める。ステップＳ１２にて、ＣＰＵ２０は、取得されたＵＲＬにアクセスする。
【００６２】
携帯端末１００がＵＲＬにアクセスすると、ステップＳ１００にて、サーバ１５０のＣＰＵ１は、アクセスされたＵＲＬに関連付けられたコンテンツがコンテンツデータベースに登録されているか否かを判断する。ＣＰＵ１は、上述のようなコンテンツが登録されていると判断すると（ステップＳ１００にてＹＥＳ）、ステップＳ１０４に制御を進め、そうでなければ（すなわち、まだ登録されていなければ：ステップＳ１００にてＮＯ）、ステップＳ１０２へ制御を進める。ステップＳ１０２にて、ＣＰＵ１は、登録用画面を携帯端末１００に送信した後、ステップＳ１１０へ制御を進める。ステップＳ１０４にて、ＣＰＵ１は、再生用画面を携帯端末１００に送信した後、ステップＳ１２０（図７）へ制御を進める。
【００６３】
ステップＳ１４にて、携帯端末１００のＣＰＵ２０は、サーバ１５０から送信された画面の種類を特定する。ある実施の形態では、ステップＳ１０２，Ｓ１０４にてサーバ１５０から送信される画面のデータは、画面の種類を特定する情報を含む。ステップＳ１４にて、ＣＰＵ２０は、この情報に基づいて判断を実行する。ＣＰＵ２０は、画面の種類が送信用画面であると判断するとステップＳ１６へ制御を進め、画面の種類が再生用であると判断するとステップＳ２８（図７）へ制御を進める。
【００６４】
ステップＳ１６にて、ＣＰＵ２０は、モニタ３５に初期画面を表示させる。図８に、初期画面の一例が示される。画面８００は、システム１０の利用規約を表示させるための記述を含む。ユーザは、当該利用規約を承認した後、ボタン８０１を操作する。これにより、ＣＰＵ２０は、モニタ３５に図９の画面を表示する。画面９００は、ボタン９０１，９０２を含む。動画（コンテンツの一例）の登録を希望するユーザは、ボタン９０１を操作する。システム１０の利用方法の説明の参照を希望するユーザは、ボタン９０２を操作する。
【００６５】
ステップＳ１８にて、ＣＰＵ２０は、ユーザからコンテンツの登録を指示されたか否かを判断する。ある実施の形態では、ＣＰＵ２０は、ボタン９０１（図９）を操作されると登録が指示されたと判断する。ＣＰＵ２０は、登録を指示されるまでステップＳ１８に制御を留め（ステップＳ１８にてＮＯ）、登録を指示されたと判断すると（ステップＳ１８にてＹＥＳ）、ステップＳ２０へ制御を進める。
【００６６】
ステップＳ２０にて、ＣＰＵ２０は、コンテンツの指定を受付ける。ステップＳ２２にて、ＣＰＵ２０は、返信用アドレスの入力を受け付ける。
【００６７】
ステップＳ２０，Ｓ２２の制御に関し、ＣＰＵ２０は、モニタ３５に、図１０に示されたような画面を表示してもよい。図１０の画面１０００は、コンテンツを指定するための情報を入力するための欄１００１と、指定されたコンテンツを確認するためのボタン１００２とを含む。ある実施の形態では、ユーザは、登録を希望するコンテンツについて、欄１００１に、携帯端末１００のＲＡＭ２８（またはメモリカード３１）における格納場所と、ファイル名とを入力し、ボタン１００２を操作する。ボタン１００２を操作されると、ＣＰＵ２０は、モニタ３５に、図１１に示されたような画面を表示する。
【００６８】
図１１の画面１１００は、コンテンツの画像を表示するためのウィンドウ１１０１と、コンテンツを再生するためボタン１１０２と、コンテンツの指定を確定させるためのボタン１１０３と、返信用アドレス（送信先情報）を入力するための欄１１０４とを含む。
【００６９】
ある実施の形態では、ユーザは、図１０の欄１００１に、メモリカード３１内のコンテンツを指定する情報を入力する。他の実施の形態では、ユーザは、欄１００１に、ネットワーク上に格納されたコンテンツを指定する情報を入力する。そして、ユーザは、ボタン１００２を操作する。ボタン１００２の操作に応じて、ＣＰＵ２０は、図１１の画面１１００を表示する。ボタン１１０２を操作されると、ＣＰＵ２０は、ウィンドウ１１０１において、指定されたコンテンツを再生する。ＣＰＵ２０は、スピーカから３３からコンテンツの音声を出力してもよい。ユーザは、欄１１０４に返信用アドレスを入力した後、ボタン１１０３を操作する。これにより、ユーザは、携帯端末１００に、コンテンツおよび返信用アドレスを入力する。
【００７０】
図６に戻って、ステップＳ２４にて、ＣＰＵ２０は、サーバ１５０に対して、ステップＳ２０，Ｓ２２にて入力されたコンテンツおよび返信用アドレスの登録を要求する。なお、ＣＰＵ２０は、コンテンツの登録等について、ユーザに最終的な確認をさせた後に、サーバ１５０に対して登録を要求してもよい。図１２には、確認用の画面の一例が示される。図１２の画面１２００は、確認用のメッセージ「登録した動画は後で変更できません。宜しいですか？」を有するウィンドウ１２０１を含む。ウィンドウ１２０１は、さらに、キャンセルボタン１２０３と登録ボタン１２０４とを有する。ＣＰＵ２０は、登録ボタン１２０４が操作されたことに応じて、サーバ１５０に対して、コンテンツおよび返信用アドレスの登録を要求してもよい。
【００７１】
さらに、ＣＰＵ２０は、サーバ１５０に対する要求を完了させると、モニタ３５に、当該要求の完了を報告する画面を表示してもよい。図１３には、報告用の画面の一例が示される。図１３の画面１３００は、メッセージ「動画の登録が完了しました。」を含む。画面１３００は、ボタン１３０１を含む。ＣＰＵ２０は、ボタン１３０１が操作されることにより、ステップＳ２４にてサーバ１５０に登録を要求したコンテンツ（動画）を再生してもよい。
【００７２】
サーバ１５０では、ステップＳ１１０にて、ＣＰＵ１は、携帯端末１００からコンテンツおよび返信用アドレスの登録の要求があったか否かを判断し、当該要求があったと判断すると（ステップＳ１１０にてＹＥＳ）、ステップＳ１１２へ制御を進め、そうでなければ（ステップＳ１１０にてＮＯ）、ステップＳ１００へ制御を戻す。
【００７３】
ステップＳ１１２にて、ＣＰＵ１は、コンテンツデータベースに、ステップＳ１００にてアクセスを受け付けたＵＲＬに関連付けて、登録を要求されたコンテンツおよび返信用アドレスを登録する。その後、ＣＰＵ１は、ステップＳ１００へ制御を戻す。
【００７４】
以上、図６を参照して説明された処理により、システム１０では、携帯端末１００が、ＱＲコード３２１に対応するＵＲＬにアクセスして、コンテンツおよび返信用アドレスの登録を要求すると、サーバ１５０は、そのＵＲＬに関連付けて、コンテンツおよび返信用アドレスを登録する。次に、コンテンツの提供（再生）について説明する。なお、携帯端末１００側で実行される処理のうち、図６に示された制御は、主に、図１の携帯端末１００Ａ（商品３１０を購入し、当該商品３１０に添付されたメッセージカード３２０上のＱＲコード３２１に関連付けてコンテンツを登録する、第１のユーザによって利用される携帯端末１００）によって実行される。図７に示された制御は、携帯端末１００Ｂ（第１のユーザから商品３１０とともにメッセージカード３２０を受取った第２のユーザによって利用される携帯端末１００）によって実行される。携帯端末１００Ｂが実行するステップＳ１０は、図１の項目（２）に相当する。
【００７５】
図７を参照して、ステップＳ２８にて、携帯端末１００のＣＰＵ２０は、再生用画面を表示する。図１４の画面１４００は、メッセージ「メッセージがあります」と、ボタン１４０１とを含む。ステップＳ３０にて、ＣＰＵ２０は、コンテンツの再生が指示されたか否かを判断する。ＣＰＵ２０は、たとえば図１４のボタン１４０１が操作されると、コンテンツの再生が指示されたと判断する。ＣＰＵ２０は、コンテンツの再生が指示されたと判断するまでステップＳ３０に制御を留め（ステップＳ３０にてＮＯ）、再生が指示されたと判断すると（ステップＳ３０にてＹＥＳ）、ステップＳ３２に制御を進める。ステップＳ３２にて、ＣＰＵ２０は、サーバ１５０にコンテンツを要求する。
【００７６】
サーバ１５０では、ステップＳ１２０にて、ＣＰＵ１は、携帯端末１００からコンテンツが要求されたか否かを判断する。ＣＰＵ１は、コンテンツが要求されたと判断すると（ステップＳ１２０にてＹＥＳ）、ステップＳ１２２へ制御を進め、そうでなければ（ステップＳ１２０にてＮＯ）、ステップＳ１３０へ制御を進める。
【００７７】
ステップＳ１２２にて、ＣＰＵ１は、ステップＳ１００（図６）にてアクセスを受け付けたＵＲＬに関連付けられたコンテンツを携帯端末１００へ送信する。ステップＳ１２２における携帯端末１００へのコンテンツの送信は、図１の項目（３）に相当する。
【００７８】
ステップＳ３４にて、携帯端末１００のＣＰＵ２０は、サーバ１５０から送信されたコンテンツを再生する。図１５には、携帯端末１００におけるコンテンツ再生画面の一例が示される。図１５の画面１５００は、コンテンツ再生用のウィンドウ１５０１と、動画を削除するためのリンク１５０２とを含む。
【００７９】
図７に戻って、ステップＳ３６にて、ＣＰＵ２０は、コンテンツの削除を指示されたか否かを判断する。ＣＰＵ２０は、たとえば図１５のリンク１５０２を操作されると、コンテンツの削除を指示されたと判断する。ＣＰＵ２０は、コンテンツの削除を指示されたと判断すると（ステップＳ３６にてＹＥＳ）、ステップＳ３８へ制御を進め、そうでなければ（ステップＳ３６にてＮＯ）、ステップＳ４６へ制御を進める。
【００８０】
ステップＳ４６にて、ＣＰＵ２０は、メッセージ（図１の項目（４）の「感想」に相当する）の入力を受け付ける。図１６には、メッセージ入力用の画面の一例が示される。図１６の画面１６００は、ウィンドウ１６０１を含む。ウィンドウ１６０１は、メッセージを入力するための欄１６０２、キャンセルボタン１６０３、送信ボタン１６０４を含む。ユーザは、欄１６０２にメッセージを記述し、送信ボタン１６０４を操作することにより、携帯端末１００に対してメッセージを入力する。ある実施の形態であは、欄１６０２に入力されるメッセージは、たとえば、ステップＳ３４において再生されたコンテンツの感想、当該コンテンツを登録したことに対する感謝、である。
【００８１】
ステップＳ４８にて、ＣＰＵ２０は、サーバ１５０に対して、ステップＳ４６にて入力されたメッセージを送信し、そして、返信用アドレスへのメッセージの転送を要求する。ステップＳ４８におけるメッセージの送信およびその転送の要求は、図１の項目（４）に相当する。
【００８２】
なお、ステップＳ４６におけるメッセージの入力の受付およびステップＳ４８における当該メッセージの送信は、ステップＳ３４におけるコンテンツの再生が当該コンテンツの１回目の再生であることを条件として実行されてもよい。すなわち、当該コンテンツが、二度以上再生されたときには、メッセージは、携帯端末１００のＣＰＵ２０は、ステップＳ４６，Ｓ４８を省略してもよい。ある実施の形態では、サーバ１５０は、ステップＳ１２２におけるコンテンツの送信回数を、各コンテンツの再生回数としてカウントし、当該カウントの値をコンテンツデータベースに格納する。サーバ１５０は、ステップＳ１２２において、コンテンツとともに当該コンテンツの再生回数を、携帯端末１００に送信する。携帯端末１００は、コンテンツの再生回数に基づいて、ステップＳ４６，Ｓ４８の制御を実行するか否かを判断する。
【００８３】
サーバ１５０は、コンテンツの再生回数に応じて、携帯端末１００からのメッセージの転送要求に従うか否かを決定してもよい。ある実施の形態において、サーバ１５０は、上述のように各コンテンツの再生回数をカウントしてもよい。たとえば、ステップＳ１５０にてメッセージの転送要求を受けたとき、ＣＰＵ１は、ステップＳ１００にてアクセスを受け付けたＵＲＬに関連付けられたコンテンツの再生回数が２回以上であれば、メッセージの転送を実行しなくてもよい。この場合、ＣＰＵ１は、コンテンツが２回以上再生されているためにメッセージを転送しないことと、携帯端末１００へ通知してもよい。携帯端末１００のＣＰＵ２０は、当該通知を受けて、今回ユーザが入力したメッセージが返信用アドレスへは転送されなかったことを通知してもよい。
【００８４】
サーバ１５０では、ステップＳ１５０にて、ＣＰＵ１は、携帯端末１００からのメッセージの送信および転送の要求があったか否かを判断する。ＣＰＵ１は当該要求があったと判断すると（ステップＳ１５０にてＹＥＳ）、ステップＳ１５２へ制御を進め、そうでなければ（ステップＳ１５０にてＮＯ）、ステップＳ１００（図６）へ制御を戻す。
【００８５】
ステップＳ１５２にて、ＣＰＵ１は、携帯端末１００から送信されたメッセージを、ステップＳ１００にてアクセスを受け付けたＵＲＬに関連付けられている返信用アドレスを宛先として、送信する。その後、ＣＰＵ１制御は、ステップＳ１００（図６）へ制御を戻す。
【００８６】
ステップＳ３８にて、携帯端末１００のＣＰＵ２０は、管理コードの入力を受け付け、入力された当該管理コードの確認をサーバ１５０に要求する。図１７には、ステップＳ３８においてＣＰＵ１がモニタ３５に表示する画面の一例が示される。図１７の画面１７００は、管理コードを入力するための欄１７０１と、送信ボタン１７０２とを含む。ある実施の形態において、ユーザは、メッセージカード３２０に記載された管理コード３２２を欄１７０１に入力した後、送信ボタン１７０２を操作してもよい。ＣＰＵ２０は、送信ボタン１７０２が操作されたことに応じて、サーバ１５０に対して、欄１７０１に入力された管理コードの確認を要求してもよい。
【００８７】
ステップＳ１３０にて、サーバ１５０のＣＰＵ１は、携帯端末１００から管理コードの確認を要求されたか否かを判断する。ＣＰＵ１は、管理コードの確認を要求されたと判断すると（ステップＳ１３０にてＹＥＳ）、ステップＳ１３２へ制御を進め、そうでなければ（ステップＳ１３０にてＮＯ）、ステップＳ１４０へ制御を進める。
【００８８】
ステップＳ１３２にて、ＣＰＵ１は、携帯端末１００から確認を要求された管理コードがステップＳ１００にてアクセスを受け付けたＵＲＬに関連付けられている管理コードと一致するか否かを判断し、当該判断の結果を携帯端末１００へ送信する。ある実施の形態では、送信される結果は、「正しい」または「誤り」である。上述の２つの管理コードが一致していれば、結果は「正しい」であり、そうでなければ、結果は「誤り」である。
【００８９】
ステップＳ４０にて、携帯端末１００のＣＰＵ２０は、サーバ１５０から送信されたステップＳ１３２における判断の結果が、「正しい」か「誤り」のいずれかであるかを判定する。ＣＰＵ２０は、結果が「正しい」であれば、ステップＳ４４へ制御を進め、結果が「誤り」であれば、ステップＳ４２へ制御を進める。
【００９０】
ステップＳ４２にて、携帯端末１００のＣＰＵ２０は、エラー画面を表示させた後、ステップＳ３８へ制御を戻す。図１８の画面１８００は、メッセージ「管理コードが違います。正しい管理コードを入力してください。」と、ボタン１８０１とを含む。ＣＰＵ２０は、ボタン１８０１が操作されたことに応じて、ステップＳ３８へ制御を戻してもよい。
【００９１】
ステップＳ４４にて、ＣＰＵ２０は、サーバ１５０に、ステップＳ３４にて再生されたコンテンツの削除を要求する。ステップＳ４４にてコンテンツの削除を要求する前に、ＣＰＵ２０は、コンテンツの削除についての確認画面をモニタ３５に表示してもよい。図１９には、確認画面の一例が示される。図１９の画面１９００は、メッセージ「動画を削除しますか？」と、キャンセルボタン１９０１と、登録ボタン１９０２とを含む。ＣＰＵ２０は、図１９の画面を表示した後、登録ボタン１９０２が操作されたことを条件として、サーバ１５０にコンテンツの削除を要求してもよい。
【００９２】
サーバ１５０では、ステップＳ１４０にて、ＣＰＵ１は、携帯端末１００からコンテンツの削除を要求されたか否かを判断する。ＣＰＵ１は、コンテンツの削除を要求されたと判断すると（ステップＳ１４０にてＹＥＳ）、ステップＳ１４２へ制御を進め、そうでなければ（ステップＳ１４０にてＮＯ）、ステップＳ１５０へ制御を進める。
【００９３】
ステップＳ１４２にて、ＣＰＵ１は、ステップＳ１００にてアクセスを受け付けたＵＲＬに関連付けられたコンテンツをコンテンツデータベースから削除して、ステップＳ１００（図６）へ制御を戻す。ステップＳ１４２にて、ＣＰＵ１は、コンテンツだけでなく、ステップＳ１００にてアクセスを受け付けたＵＲＬに関連付けられたすべての情報をコンテンツデータベースから削除してもよい。
【００９４】
サーバ１５０のＣＰＵ１は、コンテンツの削除が完了すると、当該完了を携帯端末１００に報告してもよい。携帯端末１００のＣＰＵ２０は、当該報告を受けた場合に、モニタ３５において、コンテンツの削除の完了を報知してもよい。図２０には、報知のために表示される画面の一例が示される。図２０の画面２０００は、メッセージ「メッセージは削除されました」を含む。
【００９５】
［６．開示の要約］
本開示は、たとえば以下のように要約され得る。
【００９６】
（１）  本開示のある局面に従うと、コンテンツを提供するサーバ（サーバ１５０）が提供される。サーバ１５０のＣＰＵ１は、識別情報（ＵＲＬ）に関連付けられた、コンテンツと、応答情報の送信先（返信用アドレス）との登録を受け付け（ステップＳ１１０）、コンテンツと送信先とを識別情報に関連付けてメモリに格納する（ステップＳ１１２）。ＣＰＵ１は、識別情報に関連付けられた要求（ステップＳ３２）に応じて、当該要求を送信した端末にコンテンツを提供する（ステップＳ１２２）。ＣＰＵ１は、当該要求を送信した端末から応答情報（図１の項目（４）等の「メッセージ」）を受け付け（ステップＳ１５０）、応答情報を送信先に送信する（ステップＳ１５２）。応答情報は、「いいね！」などの予め設定された２以上のアイコンから選択されるアイコンであってもよいし、２以上の予め定められた準備されたメッセージ群から選択されるメッセージであってもよい。
【００９７】
本開示によれば、コンテンツを提供された者は、当該コンテンツの感想等を応答情報としてコンテンツの提供者に送ることができる。これにより、コンテンツを提供された者に対するサービスが向上され得る。コンテンツを提供した者は、当該コンテンツを提供された者からの感想等を応答情報として取得することができる。これにより、コンテンツを提要した者に対するサービスが向上され得る。
【００９８】
（２）  プロセッサは、コンテンツの１回目の提供に対して受け付けた応答情報のみを、送信先に送信するように構成されていてもよい。すなわち、携帯端末１００のＣＰＵ２０は、コンテンツの２回目以降の再生の際には、ステップＳ４６，Ｓ４８の実行を省略してもよい。サーバ１５０のＣＰＵ１は、コンテンツの２回目以降の再生の際にはステップＳ１５２におけるメッセージの転送を実行しなくてもよい。
【００９９】
（３）メモリは、識別情報（ＵＲＬ）に関連付けて、コード（管理コード）を格納するように構成されていてもよい。プロセッサは、コードに関連付けられたコンテンツの削除の要求に応じて、メモリからコンテンツを削除するように構成されていてもよい。
【０１００】
（４）サーバ１５０の通信インターフェース（通信インターフェース７）は、２以上の端末（携帯端末１００Ａ，１００Ｂ）のそれぞれと通信可能に構成されていてもよい。ＣＰＵ１は、コンテンツと送信先との登録を第１の端末（携帯端末１００Ａ）から受け付け、第１の端末とは異なる第２の端末（携帯端末１００Ｂ）に、コンテンツを提供し、当該第２の端末（携帯端末１００Ｂ）から応答情報を受け付けるように構成されていてもよい。
【０１０１】
（５）識別情報（ＵＲＬ）は、ＱＲコード３２１として、商品に付帯して配布される記録媒体（メッセージカード３２０）に記載されていてもよい。コード（管理コード）は、商品に付帯して配布される記録媒体（メッセージカード３２０）に記載されていてもよい。記録媒体は、商品に添付されるカードではなく、商品自体（たとえば、商品の外殻を構成する筐体）であってもよいし、商品の包装であってもよい。なお、記録媒体は、ユーザが当該記録媒体から識別情報を取得できる限り、メッセージカードに限定されされない。たとえば、記録媒体の形状は、カードのような板状でなくてもよい。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０３】
１，２０  ＣＰＵ、１０  コンテンツ提供システム、１００，１００Ａ，１００Ｂ  携帯端末、１５０  サーバ、３００Ａ，３００Ｂ  ユーザ、３１０  商品、３２０  メッセージカード、３２１  ＱＲコード、３２２  管理コード、８００，９００，１０００，１１００，１２００，１３００，１４００，１５００，１６００，１７００，１８００，１９００，２０００  画面。
【図１】
2019003438.tif 000003
【図２】
2019003438.tif 000004
【図３】
2019003438.tif 000005
【図４】
2019003438.tif 000006
【図５】
2019003438.tif 000007
【図６】
2019003438.tif 000008
【図７】
2019003438.tif 000009
【図８】
2019003438.tif 000010
【図９】
2019003438.tif 000011
【図１０】
2019003438.tif 000012
【図１１】
2019003438.tif 000013
【図１２】
2019003438.tif 000014
【図１３】
2019003438.tif 000015
【図１４】
2019003438.tif 000016
【図１５】
2019003438.tif 000017
【図１６】
2019003438.tif 000018
【図１７】
2019003438.tif 000019
【図１８】
2019003438.tif 000020
【図１９】
2019003438.tif 000021
【図２０】
2019003438.tif 000022